(57)【要約】【解決手段】  本発明は、連接構造で接続された格子ロッドを有する格子支持構造体に関する。本発明によると、長さ方向に亘って引き延ばされた小さい断面を有する第１構造体は、両端に向かって次第に細くなる対の切頭角錐構造となるように展開することができ、複数の第１構造体を互いに連結することができ、上記連結された第１構造体を、展開状態の上記断面の端点を繋ぎ合わせる追加格子ロッドとともに、格子ロッドによって接続することにより、第２構造体を形成することができる。【選択図】図１
2008514526.tif 000002
【特許請求の範囲】
【請求項１】
連接構造で接続された格子ロッドを有する格子支持構造体であって
長さ方向に亘って一定に引き延ばされる小さい断面を有する第１構造体が、両端に向かって次第に細くなる、対の切頭角錐構造となるように展開されることができ、
複数の第１構造体が互いに連結されることができ、
上記連結された第１構造体は、上記展開された断面の端点を繋ぎ合わせる追加格子ロッドとともに、格子ロッドによって接続されることにより、第２構造体を形成することができることを特徴とする格子支持構造体。
【請求項２】
請求項１記載の格子支持構造体において、
格子支持構造体の断面が三角形又は矩形、より好ましくは、正方形であることを特徴とする格子支持構造体。
【請求項３】
請求項１又は２記載の格子支持構造体において、
上記展開可能な断面の領域には、連接構造で接続されているとともに、断面を展開し及び折畳むことを可能とするストラットが備えられていることを特徴とする格子支持構造体。
【請求項４】
請求項３記載の格子支持構造体において、
上記連接構造で接続されているストラットは、上記折畳んだ状態の第１構造体の小さい断面に対応する中心部を有し、連接されたストラットは上記中心部のそれぞれの角から展開可能な断面のそれぞれの角まで延びていることを特徴とする格子支持構造体。
【発明の詳細な説明】
【技術分野】
【０００１】
本発明は、連接構造で接続された格子ロッドを備える格子支持構造体に関する。
【背景技術】
【０００２】
格子支持構造体は、例えば、一時的にのみ組立て、輸送時には再び解体しなければならないような構造で使用する。格子支持構造体の個々の部材は断面が大きく、特に輸送の際に、輸送空間の多くを占めてしまうという不都合がある。
【発明の開示】
【発明が解決しようとする課題】
【０００３】
本発明の目的は、小空間で輸送可能な格子支持構造体のための格子構造を提供することにある。そのため、このような格子支持構造体の輸送時の輸送容量を最小化する必要がある。
【課題を解決するための手段】
【０００４】
本発明によると、請求項１の特徴の組合せにしたがって、連接構造で接続された格子ロッドを備える格子支持構造体を適用し、上記の目的を達成する。したがって、輸送状態を象徴するとともに、上記構造の長さ方向に亘って引き延ばされる小さい断面を有する第１構造体は、両端に向かって次第に細くなる、対の切頭角錐構造となるように展開されることができ、複数の第１構造体は互いに連結されることができるとともに、上記連結された第１構造体は、上記展開された断面の端点を繋ぎ合わせる追加格子ロッドとともに、格子ロッドによって接続されることにより、第２最終構造を形成することができる。
【０００５】
これによって、格子支持構造体は、輸送状態における第１縮小断面サイズから機能状態における拡大断面サイズへ変換することができ、連接構造で接続された構造体の展開状態の断面に対応する拡大断面を有する。これに対応して、第１構造体を展開した後、剛の格子支持構造によって機能状態で要求される安定性を得られるように、それぞれの展開された断面が対応する格子ロッドによって、周方向及び構造物全体の軸方向に接続される。
【０００６】
本発明の好適な態様は、主請求項に続く従属請求項による。
【０００７】
したがって、格子支持構造体は三角形状または矩形状の断面を有することできる。しかし、断面は正方形であることが好ましい。
【０００８】
ストラットは、展開可能な断面の領域内に在り、好ましくは連接構造で接続されており、それにより上記断面は展開又は折畳みが可能となる。
【０００９】
互いに連接構造で接続されたストラットは、折畳み時の第１構造体の小さい断面に対応する中心部を備えることができる。
【００１０】
連接されたストラットは、これらの中心部の角から展開可能な断面の角へと延びている。
【発明を実施するための最良の形態】
【００１１】
本発明の更なる特徴、詳細、利点は以下の図面で示す実施の形態によって示す。
【００１２】
図１は、３つの位置ごとの格子支持構造体の第１構造体１０を示す図であり、図１ａは、格子支持構造体の第１構造体１０のデザインを示す。格子ロッド１２は接点１４によって接続されており、これによって、正方形断面を有する細長い柱状体に連接されている。図１ａでは、長手方向にほぼ一定に引き延ばされた小さい断面１５が形成されている。図１ｂと図１ｃは、第１構造体１０の中央部が矢印方向ａに向かって展開される様子をそれぞれ示している。インナーストラット１８、２０は、この目的のために設けられ、同様に連接構造で接続されており、例えば、図１ａから図１ｃに示すウィンチ２１によって矢印方向ｂに展開できる。中央部が最大展開状態となることにより、図１ｃに示すように、両自由端に向かって次第に細くなる、対の実質的に切頭角錐構造となる。自由端はそれぞれ断面１６を有し、最大展開状態の断面である断面２２は、断面１６に比べてかなり大きな断面となる。第１構造体１０の内部で連接構造で接続されたストラットは、４本のクロスストラット１８と、正方形をなす４本のストラットで構成される中央中心部２０とからなり、この正方形は第１構造体のそれぞれの端部と同じ断面を有する。図１ｃに示す第１構造体を折り畳むには、連接構造で接続された格子全体が折り畳まれて、図１ａとほぼ同じ状態となるよう引き締められるように、インナーストラット構造１８、２０に方向ｃの力を作用させる。
【００１３】
図１ｃのように、格子支持構造体の第１構造体を展開し、複数の第１構造体１０が互いに接続され、それぞれの展開断面の領域で接続される追加格子ロッド２４、２６を介して繋ぎ合わされているので、安定した第２構造体が得られる。
【００１４】
その結果、図３に示すような格子支持構造体５は、機能状態になる。格子支持構造体５は断面２２を有する。図４は、同様の格子支持構造体を示す図であり、断面が正方形でなく三角形である点が、図１から図３の構造とは異なる。
【００１５】
図４に示す実施形態では、図１から図３に示す実施形態における構成要素と同一の構成要素は、同じ符号で示す。
【００１６】
図５に示す格子支持構造５は、機能状態に組立てられた、回転タワークレーンの支持構造を示す。図６は、格子支持構造５の機能状態を示しており、同図では、格子支持構造５はケーブル掘削機のブームとなる。
【図面の簡単な説明】
【００１７】
【図１】展開時の３つの段階における格子支持構造体の第１構造体を模式的に示している。
【図２】展開した第１構造体と、第１構造体をつなぐための対応する格子ロッドの取り付け前の状態を模式的に示している。
【図３】組立てられた格子支持構造体の第２構造体を示している。
【図４】他の実施の形態に係る格子支持構造体の第１構造体を示している。
【図５】対応する応用例における格子支持構造体を示している。
【図６】対応する応用例における格子支持構造体を示している。
【符号の説明】
【００１８】
５    格子支持構造体
１０  第１構造体
１２  格子ロッド
１５  小さい断面
２４、２６  追加格子ロッド
【図１】
2008514526.tif 000003
【図２】
2008514526.tif 000004
【図３】
2008514526.tif 000005
【図４】
2008514526.tif 000006
【図５】
2008514526.tif 000007
【図６】
2008514526.tif 000008
【国際調査報告】
2008514526.tif 000009
2008514526.tif 000010
2008514526.tif 000011
2008514526.tif 000012
2008514526.tif 000013
2008514526.tif 000014